【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
再使用可能な流量センサアセンブリに取り外し可能に結合する流体密封の使い捨てアセンブリであって、
密閉された本体を備え、前記本体は、基礎部分に連結された蓋部分を有し、かつ入口と出口を形成する流体流通路を画定し、蓋部分は、第１開口部と第２開口部を有し、前記使い捨てアセンブリはさらに、
入口と出口の間かつ第１開口部と第２開口部の間の流体流通路内に位置決めされた流量制限要素と、
入口と出口の間の流体流通路に沿って配設され、蓋部分の第１開口部と第２開口部でアクセス可能となるように本体の蓋部分と基礎部分の間に位置付けられた流体不浸透性の流体圧力膜とを備え、前記流体圧力膜は、第１移動可能な圧力応答壁部分および第２移動可能な圧力応答壁部分を提供するように、前記基礎部分および前記蓋部分に固定され、前記第１移動可能な圧力応答壁部分は、前記流量制限要素の上流側位置で前記流体流通路の第１室を密閉して覆い、かつ前記流体流通路の第１室内の流体圧力に応答して前記第１開口部に対して移動し、前記第２移動可能な圧力応答壁部分は、前記流量制限要素の下流側位置で前記流体流通路の第２室を密閉して覆い、かつ前記流体流通路の第２室内の流体圧力に応答して前記第２開口部に対して移動し、前記使い捨てアセンブリはさらに、
蓋部分の第１開口部に外側で隣接して第１開口部を取り囲み、前記流体圧力膜の第１移動可能な圧力応答壁部分に配置された第１補強リングを備え、前記第１補強リングは、蓋部分と流体圧力膜の間に位置決めされ、前記流体流通路の第１室内の流体圧力によって前記蓋部分と接触するまで移動可能であり、前記使い捨てアセンブリはさらに、
蓋部分の第２開口部に外側で隣接して第２開口部を取り囲み、前記流体圧力膜の第２移動可能な圧力応答壁部分に配置された第２補強リングを備え、前記第２補強リングは、蓋部分と流体圧力膜の間に位置決めされ、前記流体流通路の第２室内の流体圧力によって前記蓋部分と接触するまで移動可能である、使い捨てアセンブリ。
【請求項２】
流体圧力膜が、蓋部分の第１開口部と第２開口部にそれぞれ位置合わせされるように構成された第１区域と第２区域を有する、請求項１に記載の使い捨てアセンブリ。
【請求項３】
第１補強リングが、流体圧力膜の第１区域を取り囲み、第２補強リングが、流体圧力膜の第２区域を取り囲む、請求項２に記載の使い捨てアセンブリ。
【請求項４】
流体圧力膜の第１区域の少なくとも一部分と、流体圧力膜の第２区域の少なくとも一部分とが、第１および第２区域の外側に存在する流体圧力膜の第３区域と比較して増大された厚みを有する、請求項３に記載の使い捨てアセンブリ。
【請求項５】
流体圧力膜が、流量センサアセンブリに使い捨てアセンブリが使用されるときに、蓋部分の第１開口部と第２開口部にそれぞれ位置合わせされかつ第１および第２開口部をそれぞれ通って突き出るように構成された第１区域と第２区域を有する、請求項１に記載の使い捨てアセンブリ。
【請求項６】
第１補強リングと第２補強リングが、それぞれ流体圧力膜上のリブによって画定される、請求項１に記載の使い捨てアセンブリ。
【請求項７】
流量制限要素が、蓋部分および基礎部分から分離した構成要素であり、流体圧力膜内に固定される、請求項１に記載の使い捨てアセンブリ。
【請求項８】
本体の基礎部分と蓋部分が、流体圧力膜を基礎部分と蓋部分の間に固定し、かつ本体を密閉するために一緒に超音波溶接される、請求項１に記載の使い捨てアセンブリ。
【請求項９】
再使用可能な流量センサアセンブリに取り外し可能に結合する流体密封の使い捨てアセンブリであって、
密閉された本体を備え、前記本体は、基礎部分に連結された蓋部分を有し、かつ入口と出口を形成する流体流通路を画定し、蓋部分は、第１開口部と第２開口部を有し、前記使い捨てアセンブリはさらに、
入口と出口の間の流体流通路内に位置決めされた流量制限要素と、
入口と出口の間の流体流通路に沿って配設され、本体の蓋部分と基礎部分の間に位置付けられた流体不浸透性の流体圧力膜とを備え、前記流体圧力膜は、第１移動可能な圧力応答壁部分および第２移動可能な圧力応答壁部分を提供するように、前記基礎部分および前記蓋部分に固定され、前記第１移動可能な圧力応答壁部分は、前記流量制限要素の上流側位置で前記流体流通路の第１室を密閉して覆い、かつ前記流体流通路の第１室内の流体圧力に応答して前記第１開口部に対して移動し、前記第２移動可能な圧力応答壁部分は、前記流量制限要素の下流側位置で前記流体流通路の第２室を密閉して覆い、かつ前記流体流通路の第２室内の流体圧力に応答して前記第２開口部に対して移動し、前記使い捨てアセンブリはさらに、
流体圧力膜と蓋部分の間で前記第１移動可能な圧力応答壁部分の上表面に位置決めされた第１硬質ディスクを備え、前記第１硬質ディスクは、蓋部分内に形成された第１開口部に隣接して位置決めされ、前記流体流通路の第１室内の流体圧力によって前記蓋部分と接触するまで移動可能であり、前記使い捨てアセンブリはさらに、
流体圧力膜と蓋部分の間で前記第２移動可能な圧力応答壁部分の上表面に位置決めされ第２硬質ディスクを備え、前記第２硬質ディスクは、蓋部分内に形成された第２開口部に隣接して位置決めされ、前記流体流通路の第２室内の流体圧力によって前記蓋部分と接触するまで移動可能である、使い捨てアセンブリ。
【請求項１０】
流体圧力膜が、第１硬質ディスクと第２硬質ディスクにそれぞれ位置合わせされるように構成された第１区域と第２区域を有する、請求項９に記載の使い捨てアセンブリ。
【請求項１１】
流体圧力膜の第１区域が、第１硬質ディスクを流体圧力膜と蓋部分の間で支持しかつ位置決めする凹所を形成し、流体圧力膜の第２区域が、第２硬質ディスクを流体圧力膜と蓋部分の間で支持しかつ位置決めする凹所を形成する、請求項１０に記載の使い捨てアセンブリ。
【請求項１２】
第１硬質ディスクが、押縁部分と突出部分を備え、押縁部分が、第１硬質ディスクの変位を制限するために蓋部分と接触するように構成され、突出部分が、蓋部分の第１開口部を少なくとも部分的に通過するように構成される、請求項９に記載の使い捨てアセンブリ。
【請求項１３】
第２硬質ディスクが、押縁部分と突出部分を備え、押縁部分が、第２硬質ディスクの変位を制限するために蓋部分と接触するように構成され、突出部分が、蓋部分の第２開口部を少なくとも部分的に通過するように構成される、請求項１２に記載の使い捨てアセンブリ。
【請求項１４】
センサアセンブリが差圧式流量センサアセンブリである、請求項１３に記載の使い捨てアセンブリ。
【請求項１５】
第１硬質ディスクの突出部分が、差圧式流量センサアセンブリの第１センサと相互作用するように構成され、第２硬質ディスクの突出部分が、差圧式流量センサアセンブリの第２センサと相互作用するように構成される、請求項１４に記載の使い捨てアセンブリ。
【請求項１６】
蓋部分が、流体圧力膜を蓋部分と基礎部分の間に固定し、かつ本体を密閉するために基礎部分に超音波溶接される、請求項９に記載の使い捨てアセンブリ。
【請求項１７】
差圧式流量センサアセンブリを形成する方法であって、
少なくとも第１圧力センサと第２圧力センサを有する再使用可能なアセンブリを提供するステップと、
流体密封の使い捨てアセンブリを提供するステップとを含み、
前記使い捨てアセンブリが、
密閉された本体を備え、前記本体は、蓋部分と基礎部分を有し、かつ入口と出口を形成する流体流通路を画定し、蓋部分は、第１開口部と第２開口部を有し、前記使い捨てアセンブリはさらに、
入口と出口の間の流体流通路内に位置決めされた流量制限要素と、
流体流通路に沿って配設され、本体の蓋部分と基礎部分の間に位置付けられた流体不浸透性の流体圧力膜とを備え、前記流体圧力膜は、第１移動可能な圧力応答壁部分および第２移動可能な圧力応答壁部分を提供するように、前記基礎部分および前記蓋部分に固定され、前記第１移動可能な圧力応答壁部分は、前記流量制限要素の上流側位置で前記流体流通路の第１室を密閉して覆い、かつ前記流体流通路の第１室内の流体圧力に応答して前記第１開口部に対して移動し、前記第２移動可能な圧力応答壁部分は、前記流量制限要素の下流側位置で前記流体流通路の第２室を密閉して覆い、かつ前記流体流通路の第２室内の流体圧力に応答して前記第２開口部に対して移動し、前記使い捨てアセンブリはさらに、
流体圧力膜と蓋部分の間で前記第１移動可能な圧力応答壁部分の上表面に位置決めされた第１硬質ディスクを備え、前記第１硬質ディスクは、蓋部分内に形成された第１開口部に隣接して位置決めされ、前記流体流通路の第１室内の流体圧力によって前記蓋部分と接触するまで移動可能であり、前記使い捨てアセンブリはさらに、
流体圧力膜と蓋部分の間で前記第２移動可能な圧力応答壁部分の上表面に位置決めされた第２硬質ディスクを備え、前記第２硬質ディスクは、蓋部分内に形成された第２開口部に隣接して位置決めされ、前記流体流通路の第２室内の流体圧力によって前記蓋部分と接触するまで移動可能であり、前記方法はさらに、
差圧式流体圧力センサを形成するように、使い捨てアセンブリを取り外し可能な方法で再使用可能なアセンブリに固定するステップを含む、方法。
【請求項１８】
使い捨てアセンブリを再使用可能なアセンブリに固定するステップが、使い捨てアセンブリの押縁部分を再使用可能なアセンブリのリップ部分の下に滑り込ませることを含む、請求項１７に記載の方法。
【請求項１９】
使い捨てアセンブリを再使用可能なアセンブリに固定するステップが、使い捨てアセンブリの押縁部分を再使用可能なアセンブリの少なくとも１つのクリップ部分の下に留め付けることを含む、請求項１７に記載の方法。
【請求項２０】
使い捨てアセンブリを再使用可能なアセンブリに固定するステップが、再使用可能なアセンブリの回転可能な蓋部分の下で使い捨てアセンブリを覆うことを含む、請求項１７に記載の方法。
【請求項２１】
使い捨てアセンブリを再使用可能なアセンブリに固定するステップが、使い捨てアセンブリを再使用可能なアセンブリ内に固定するために、使い捨てアセンブリを再使用可能なアセンブリ内に滑り込ませ、使い捨て部分を枢動可能なアクセスドアで覆うことを含む、請求項１７に記載の方法。
【請求項２２】
使い捨てアセンブリを再使用可能なアセンブリに固定するステップが、使い捨てアセンブリの第１スロットおよび第２スロットを再使用可能なアセンブリの第１および第２固定突出部それぞれの上に滑り動かすことを含む、請求項１７に記載の方法。
【請求項２３】
使い捨てアセンブリを再使用可能なアセンブリに固定するステップが、使い捨てアセンブリを再使用可能なアセンブリ内に位置決めし、再使用可能なアセンブリの滑りアクセスドアの下で使い捨てアセンブリを覆うことを含む、請求項１７に記載の方法。
【請求項２４】
流量制限要素が、蓋部分および基礎部分から分離した構成要素であり、流体圧力膜内に固定される、請求項９に記載の使い捨てアセンブリ。